(57)【要約】【課題】出品者が代金を受け取って入札者が出品物品を買い取る権利と、出品者が代金を支払って入札者が出品物品を引き取る権利とを同時に１つのオークションにかけることができ、出品物品の買い取りが不成立となった場合でも廃棄回収業者への回収手続きを自動的に行うことができるインターネットオークションシステム等を提供する。【解決手段】Ｗｅｂサーバ３０は、オークション制御部３１により、有効な入札の有無や入札内容（引き取り、買い取り）に基づいて、入札者端末２０や自治体・廃品回収業者サーバ５０からの入札情報の入力を受け付け、また、事業者選択制御部３２により、取引不成立の際に、出品情報や廃品回収業者情報に基づいて、廃品回収業者を自動的に選択し自治体・廃品回収業者サーバ５０に対して回収手続き依頼の通知を送信する。【選択図】図１
2008204246.tif 000002
【特許請求の範囲】
【請求項１】
出品者が提供した出品商品に対して入札者が支払う代金を提示して買い取る権利を競う買い取りオークションと、前記出品商品に対して廃品回収事業者が受け取る代金を提示して廃品として受け取る権利を競う引き取りオークションとを運営、管理するオークションサーバ端末と、前記入札者が前記買い取りオークションに参加するための入札者クライアント端末と、前記廃品回収業者が前記引き取りオークションに参加するための廃品回収業者クライアント端末と、がネットワークを介して接続され構成されたインターネットオークションシステムであって、
前記オークションサーバ端末は、前記買い取りオークションにおける前記入札者クライアント端末による支払代金を含む買い取り入札情報の入力と、前記引き取りオークションにおける前記廃品回収業者クライアント端末による受取代金を含む引き取り入札情報の入力と、を並行して受け付けることを特徴とするインターネットオークションシステム。
【請求項２】
前記オークションサーバ端末は、前記買い取りオークションが不成立となったときに、前記引き取りオークションにおいて前記出品商品を廃品として受け取る権利を入札した前記廃品回収業者クライアント端末に対して前記出品商品の回収手続きの依頼を通知することを特徴とする請求項１に記載のインターネットオークションシステム。
【請求項３】
前記インターネットオークションシステムは、前記出品者が前記出品商品の出品条件及び出品者住所を含む出品情報を入力するための出品者クライアント端末と、前記出品情報と前記買い取り入札情報と前記引き取り入力情報とを格納するデータベースサーバ端末と、をさらに有して構成され、
前記オークションサーバ端末は、
前記データベース端末に格納された情報に基づいて、前記買い取りオークション及び前記引き取りオークションにおける入札価格を調整するオークション制御手段と、
前記出品者クライアント端末により前記回収手続き希望の入力がなされたときに、前記データベース端末に格納された情報に基づいて、前記引き取りオークションで最安値となる前記引き取り入札情報の入力を受け付けた前記廃品回収事業者を選択し前記回収手続きの依頼を通知する事業者通知制御手段と、
を有することを特徴とする請求項２に記載のインターネットオークションシステム。
【請求項４】
前記オークション制御手段は、前記出品条件に合致する有効な入札が存在しない場合は、前記入札者クライアント端末による前記買い取り入札情報の入力及び前記廃品回収事業者クライアント端末による前記引き取り入札情報の入力を受け付けることを特徴とする請求項３に記載のインターネットオークションシステム。
【請求項５】
前記オークション制御手段は、前記有効な入札が前記引き取りオークションでの引き取り入札のみである場合は、最安値となる前記引き取り入札情報の入力を受け付けるともに、前記買い取り入札情報の入力を受け付け、前記有効な入札に前記買い取りオークションでの買い取り入札が含まれる場合は、前記引き取り入札情報の入力受け付けを拒否し、最高値となる前記買い取り入札情報の入力を受け付けることを特徴とする請求項３又は４に記載のインターネットオークションシステム。
【請求項６】
前記事業者通知制御手段は、前記データベースサーバ端末に格納された前記出品者住所を参照して、前記出品商品の回収が可能な前記廃品回収事業者をリストアップし、その中から最安値となる前記引き取り入札情報の入力を受け付けた前記廃品回収業者クライアント端末を選択することを特徴とする請求項３から５のいずれか１項に記載のインターネットオークションシステム。
【請求項７】
出品者が提供した出品商品に対して入札者が支払う代金を提示して買い取る権利を競う買い取りオークションと、前記出品商品に対して廃品回収事業者が受け取る代金を提示して廃品として受け取る権利を競う引き取りオークションとを運営、管理するオークションサーバ端末と、前記入札者が前記買い取りオークションに参加するための入札者クライアント端末と、前記廃品回収業者が前記引き取りオークションに参加するための廃品回収業者クライアント端末と、がネットワークを介して接続され構成されたインターネットオークションシステムにおいて、
前記オークションサーバ端末は、前記買い取りオークションにおける前記入札者クライアント端末による支払代金を含む買い取り入札情報の入力と、前記引き取りオークションにおける前記廃品回収業者クライアント端末による受取代金を含む引き取り入札情報の入力と、を並行して受け付けることを特徴とするインターネットオークション方法。
【請求項８】
前記オークションサーバ端末は、前記買い取りオークションが不成立となったときに、前記引き取りオークションにおいて前記出品商品を廃品として受け取る権利を入札した前記廃品回収業者クライアント端末に対して前記出品商品の回収手続きの依頼を通知することを特徴とする請求項７に記載のインターネットオークション方法。
【請求項９】
前記インターネットオークションシステムは、前記出品者が前記出品商品の出品条件及び出品者住所を含む出品情報を入力するための出品者クライアント端末と、前記出品情報と前記買い取り入札情報と前記引き取り入力情報とを格納するデータベースサーバ端末と、をさらに有して構成され、
前記オークションサーバ端末は、
前記データベース端末に格納された情報に基づいて、前記買い取りオークション及び前記引き取りオークションにおける入札価格を調整するオークション制御工程と、
前記出品者クライアント端末により前記回収手続き希望の入力がなされたときに、前記データベース端末に格納された情報に基づいて、前記引き取りオークションで最安値となる前記引き取り入札情報の入力を受け付けた前記廃品回収事業者を選択し前記回収手続きの依頼を通知する事業者通知制御工程と、
を有することを特徴とする請求項８に記載のインターネットオークション方法。
【請求項１０】
前記オークション制御工程は、前記出品条件に合致する有効な入札が存在しない場合は、前記入札者クライアント端末による前記買い取り入札情報の入力及び前記廃品回収事業者クライアント端末による前記引き取り入札情報の入力を受け付けることを特徴とする請求項９に記載のインターネットオークション方法。
【請求項１１】
前記オークション制御工程は、前記有効な入札が前記引き取りオークションでの引き取り入札のみである場合は、最安値となる前記引き取り入札情報の入力を受け付けるともに、前記買い取り入札情報の入力を受け付け、前記有効な入札に前記買い取りオークションでの買い取り入札が含まれる場合は、前記引き取り入札情報の入力受け付けを拒否し、最高値となる前記買い取り入札情報の入力を受け付けることを特徴とする請求項９又は１０に記載のインターネットオークション方法。
【請求項１２】
前記事業者通知制御工程は、前記データベースサーバ端末に格納された前記出品者住所を参照して、前記出品商品の回収が可能な前記廃品回収事業者をリストアップし、その中から最安値となる前記引き取り入札情報の入力を受け付けた前記廃品回収業者クライアント端末を選択することを特徴とする請求項９から１１のいずれか１項に記載のインターネットオークション方法。
【請求項１３】
出品者が提供した出品商品に対して入札者が支払う代金を提示して買い取る権利を競う買い取りオークションと、前記出品商品に対して廃品回収事業者が受け取る代金を提示して廃品として受け取る権利を競う引き取りオークションとを運営、管理するオークションサーバ端末と、前記入札者が前記買い取りオークションに参加するための入札者クライアント端末と、前記廃品回収業者が前記引き取りオークションに参加するための廃品回収業者クライアント端末と、がネットワークを介して接続され構成されたインターネットオークションシステムにおいて、
前記オークションサーバ端末に、前記買い取りオークションにおける前記入札者クライアント端末による支払代金を含む買い取り入札情報の入力と、前記引き取りオークションにおける前記廃品回収業者クライアント端末による受取代金を含む引き取り入札情報の入力と、を並行して受け付ける処理を実行させることを特徴とするプログラム。
【請求項１４】
前記オークションサーバ端末に、前記買い取りオークションが不成立となったときに、前記引き取りオークションにおいて前記出品商品を廃品として受け取る権利を入札した前記廃品回収業者クライアント端末に対して前記出品商品の回収手続きの依頼を通知する処理を実行させることを特徴とする請求項１３に記載のプログラム。
【請求項１５】
前記インターネットオークションシステムは、前記出品者が前記出品商品の出品条件及び出品者住所を含む出品情報を入力するための出品者クライアント端末と、前記出品情報と前記買い取り入札情報と前記引き取り入力情報とを格納するデータベースサーバ端末と、をさらに有して構成され、
前記オークションサーバ端末に、
前記データベース端末に格納された情報に基づいて、前記買い取りオークション及び前記引き取りオークションにおける入札価格を調整するオークション制御処理と、
前記出品者クライアント端末により前記回収手続き希望の入力がなされたときに、前記データベース端末に格納された情報に基づいて、前記引き取りオークションで最安値となる前記引き取り入札情報の入力を受け付けた前記廃品回収事業者を選択し前記回収手続きの依頼を通知する事業者通知制御処理と、
を実行させることを特徴とする請求項１４に記載のプログラム。
【請求項１６】
前記オークション制御処理は、前記出品条件に合致する有効な入札が存在しない場合は、前記入札者クライアント端末による前記買い取り入札情報の入力及び前記廃品回収事業者クライアント端末による前記引き取り入札情報の入力を受け付けることを特徴とする請求項１５に記載のプログラム。
【請求項１７】
前記オークション制御処理は、前記有効な入札が前記引き取りオークションでの引き取り入札のみである場合は、最安値となる前記引き取り入札情報の入力を受け付けるともに、前記買い取り入札情報の入力を受け付け、前記有効な入札に前記買い取りオークションでの買い取り入札が含まれる場合は、前記引き取り入札情報の入力受け付けを拒否し、最高値となる前記買い取り入札情報の入力を受け付けることを特徴とする請求項１５又は１６に記載のプログラム。
【請求項１８】
前記事業者通知制御処理は、前記データベースサーバ端末に格納された前記出品者住所を参照して、前記出品商品の回収が可能な前記廃品回収事業者をリストアップし、その中から最安値となる前記引き取り入札情報の入力を受け付けた前記廃品回収業者クライアント端末を選択することを特徴とする請求項１５から１７のいずれか１項に記載のプログラム。
【請求項１９】
請求項１３から１８のいずれか１項に記載のプログラムを記録しコンピュータ読み取り可能なことを特徴とする記録媒体。
【発明の詳細な説明】
【技術分野】
【０００１】
本発明は、インターネットオークションシステム、インターネットオークション方法、プログラム、及び記録媒体に関し、特に、物品リサイクルのマーケット及び廃品回収のマーケットを一体的に形成し、双方のマーケットにおける関係当事者の取引を円滑に促進する技術に関するものである。
【背景技術】
【０００２】
近年、インターネットの急速な普及に伴って、インターネット上でオークションを開催するオークションシステムが実施されている。当該オークションシステムは、ＷＷＷサーバを主体として、これと連携するコンピュータ端末やデータベースを含むコンピュータシステムにより実現され、Ｗｅｂページを媒介として、オークションに関わる出品や入札の手続きをインターネット上で行えるサービスを提供している。
【０００３】
上記オークションシステムは、Ｗｅｂページによるユーザインタフェースをオークション参加者のコンピュータ端末に提供し、このＷｅｂページを通じてオークションにおける出品や入札を受け付ける。そして、オークション参加者に関する個人情報の管理を行い、落札したオークション案件が発生すればその事実を取引当事者となる出品者と落札者へ通知し、その後の当事者間での落札代金授受、物品の引き渡し期日や引き渡し方法等の個別交渉が円滑に行えるように仲介する。
【０００４】
ところで、オークションが成立した場合は上記のような流れとなるが、オークション不成立の場合には、出品者にとって、提示価格を下げて再度オークションにかけたり、それでも成立しないときは出品した物品を処分したりする行動が必要となる。しかしながら、通常、インターネットオークションでは出品した物品の販売が目的のため、上記オークションシステムでは出品した物品の処分に対応することができず、出品料やシステム利用料が無駄になってしまうとともに、不用品となった出品物品のリサイクル、回収処分が促進されないという問題もあった。
【０００５】
例えば特許文献１では、コントロール機関のサーバが、オークションサイトでの落札に対して商品発送及び代金回収を行うとともに、不落札物についてリサイクルサイトに移行し、リサイクルサイト上で関係事業者（排出事業者、処分業者等）が相互に情報交換して意志決定できる廃棄物処理システムが提案されている。また、例えば特許文献２では、プラスチック製品の通常の販売のための第１オークションと、リサイクル製品や廃棄処分品として処分するための第２オークションとを開催する段階的オークションシステムが開示されている。また、例えば特許文献３では、売り手の保有する遊休品を通常取引市場に登録して入札があったときに売買契約処理を実行し、該通常取引市場で入札がなかったときには廃棄市場に登録して該廃棄市場での入札があった場合に廃棄契約処理を実行する電子商取引方法が提案されている。
【特許文献１】特開２００１−７６０６７号公報
【特許文献２】特開２００２−２４６２１号公報
【特許文献３】特開２００３−２８１４０７号公報
【発明の開示】
【発明が解決しようとする課題】
【０００６】
上記のシステムや方法では、出品した物品を販売するためのオークションと、廃棄品として処分するためのオークションとがそれぞれ独立しており、オークション運営主体の観点からは、オークションサイトを構築し維持していくためのコストや手間等がそれぞれかかってしまうことになる。また、出品者の観点からは、出品した物品を最終的に処分できるまでの期間が長くなるとともに、システム利用料や出品コストの負担が増大するおそれがある。さらに、出品者は、出品した物品を廃棄品として処分することとなった場合、まずオークションで廃棄処分業者を決定し、次いでその業者に改めて回収依頼を行うという複数のステップを踏む必要がある。
【０００７】
そこで、本発明は、出品者が代金を受け取って入札者が出品物品を買い取る権利と、出品者が代金を支払って入札者が出品物品を引き取る権利とを同時に１つのオークションにかけることができ、出品物品の買い取りが不成立となった場合でも廃棄回収業者への回収手続きを自動的に行うことができるインターネットオークションシステム等を提供することを目的とする。
【課題を解決するための手段】
【０００８】
かかる目的を達成するために、本発明は、出品者が提供した出品商品に対して入札者が支払う代金を提示して買い取る権利を競う買い取りオークションと、出品商品に対して廃品回収事業者が受け取る代金を提示して廃品として受け取る権利を競う引き取りオークションとを運営、管理するオークションサーバ端末と、入札者が買い取りオークションに参加するための入札者クライアント端末と、廃品回収業者が引き取りオークションに参加するための廃品回収業者クライアント端末と、がネットワークを介して接続され構成されたインターネットオークションシステムであって、オークションサーバ端末は、買い取りオークションにおける入札者クライアント端末による支払代金を含む買い取り入札情報の入力と、引き取りオークションにおける廃品回収業者クライアント端末による受取代金を含む引き取り入札情報の入力と、を並行して受け付け、さらに、該オークションサーバ端末は、買い取りオークションが不成立となったときに、引き取りオークションにおいて出品商品を廃品として受け取る権利を入札した廃品回収業者クライアント端末に対して出品商品の回収手続きの依頼を通知することを特徴とするインターネットクライアントシステムである。
【０００９】
また、本発明は、出品者が提供した出品商品に対して入札者が支払う代金を提示して買い取る権利を競う買い取りオークションと、出品商品に対して廃品回収事業者が受け取る代金を提示して廃品として受け取る権利を競う引き取りオークションとを運営、管理するオークションサーバ端末と、入札者が買い取りオークションに参加するための入札者クライアント端末と、廃品回収業者が引き取りオークションに参加するための廃品回収業者クライアント端末と、がネットワークを介して接続され構成されたインターネットオークションシステムにおいて、オークションサーバ端末は、買い取りオークションにおける入札者クライアント端末による支払代金を含む買い取り入札情報の入力と、引き取りオークションにおける廃品回収業者クライアント端末による受取代金を含む引き取り入札情報の入力と、を並行して受け付け、また、該オークションサーバ端末は、買い取りオークションが不成立となったときに、引き取りオークションにおいて出品商品を廃品として受け取る権利を入札した廃品回収業者クライアント端末に対して出品商品の回収手続きの依頼を通知することを特徴とするインターネットオークション方法であってもよい。
【００１０】
また、本発明は、出品者が提供した出品商品に対して入札者が支払う代金を提示して買い取る権利を競う買い取りオークションと、出品商品に対して廃品回収事業者が受け取る代金を提示して廃品として受け取る権利を競う引き取りオークションとを運営、管理するオークションサーバ端末と、入札者が買い取りオークションに参加するための入札者クライアント端末と、廃品回収業者が引き取りオークションに参加するための廃品回収業者クライアント端末と、がネットワークを介して接続され構成されたインターネットオークションシステムにおいて、オークションサーバ端末に、買い取りオークションにおける入札者クライアント端末による支払代金を含む買い取り入札情報の入力と、引き取りオークションにおける廃品回収業者クライアント端末による受取代金を含む引き取り入札情報の入力と、を並行して受け付ける処理を実行させ、該オークションサーバ端末に、買い取りオークションが不成立となったときに、引き取りオークションにおいて出品商品を廃品として受け取る権利を入札した廃品回収業者クライアント端末に対して出品商品の回収手続きの依頼を通知する処理を実行させることを特徴とするプログラムであってもよい。
【００１１】
また、本発明は、上記プログラムを記録しコンピュータ読み取り可能なことを特徴とする記録媒体であってもよい。
【発明の効果】
【００１２】
本発明によれば、出品者が代金を受け取って入札者が出品物品を買い取る権利と、出品者が代金を支払って入札者が出品物品を引き取る権利とを同時に１つのオークションにかけることができ、出品物品の買い取りが不成立となった場合でも廃棄回収業者への回収手続きを自動的に行うことができるインターネットオークションシステム等が実現される。
【発明を実施するための最良の形態】
【００１３】
以下、図面を参照しながら、本発明の実施形態におけるインターネットオークションシステムについて説明する。
【００１４】
はじめに、本実施形態のインターネットオークションシステムの構成について説明する。図１は、本実施形態のインターネットオークションシステムの概略構成図である。
【００１５】
当該インターネットオークションシステムは、出品者端末１０と、入札者端末２０と、Ｗｅｂサーバ３０と、データベース４０と、自治体・廃品回収業者サーバ５０とから構成される。データベース４０はＷｅｂサーバ３０と接続されており、出品者端末１０、入札者端末２０、Ｗｅｂサーバ３０、及び自治体・廃品回収業者サーバ５０は、インターネット１００を介してそれぞれ相互に接続されている。
【００１６】
出品者端末１０及び入札者端末２０は、パーソナルコンピュータ等の情報処理装置で、インターネット１００を介してＷｅｂサーバ３０にアクセスして、相互にデータを送信及び受信し、またその結果を画面に表示できる機能を備えている。
【００１７】
Ｗｅｂサーバ３０は、１つまたは複数のワークステーション・サーバ等から構成される情報処理装置で、Ｗｅｂサーバとして機能してインターネット１００を介してオークションを開催し、オークションに関わるサービス（出品や入札の手続き等）を提供する。また、Ｗｅｂサーバ３０は、オークション制御部３１と、事業者選択制御部３２とを有する。
【００１８】
オークション制御部３１は、オークションでの入札者による入札価格を調整するプログラムを内蔵し、該プログラムに従ってＷｅｂサーバ３０上で動作する。事業者選択制御部３２は、買い取りのオークションが不成立となった際に、データベース４０に格納された情報を利用して、出品者の出品物を処理する自治体または廃品回収業者の選択するプログラムを内蔵し、該プログラムに従ってＷｅｂサーバ３０上で動作する。
【００１９】
データベース４０は、図２に示すような、オークションに際して必要な関係当事者の情報を格納する。図２は、本実施形態におけるデータベースが格納する登録情報の例を示した図である。例えば、出品者に関しては、出品者情報として、出品者のＩＤや名前、住所等の連絡先が登録される。また、出品物に関しては、出品物情報として、名称や分類、大きさや形状、希望価格やオークション期間といった出品条件等が登録される。また、入札者に関しては、入札者情報として、入札者のＩＤや名前、住所等の連絡先が登録される。また、廃品回収業者等に関しては、自治体・廃品回収業者情報として、業者の名前、住所等の連絡先、対応地域、引き取り価格や引き取り時間といった引き取り条件等が登録される。
【００２０】
自治体・廃品回収業者サーバ５０は、ユーザからの廃品回収の登録をインターネット経由で行うことができるサーバであり、必要事項の登録、料金の支払いが完了するとユーザに廃品の引き取り場所や引き取り時間をＥメールで通知する機能を有している。必要事項の登録は、Ｗｅｂサーバ３０から自動で行うことができる。
【００２１】
続いて、本実施形態のインターネットオークションシステムにおける動作について説明する。図３は、本実施形態のインターネットオークションシステムにおける各装置の動作の流れを示したフローチャートである。
【００２２】
まず出品者は、出品者端末１０からオークションサイトＷｅｂサーバ３０に接続して、出品物の画像、紹介文、オークション開始価格、オークションの入札や終了条件、オークション日数等の情報を登録する。さらに、例えば図６の登録画面例に従って、出品物の販売が目的の買い取りオークションにするか、あるいは出品者が金銭を支払って引き取ってもらう引き取りオークションを該買い取りオークションと平行してできるようにするか、さらに買い取りオークション不成立時に出品者住所が対応地域となっている自治体や廃品回収業者に廃品回収の依頼を自動で行うかどうかを自由に組み合わせて登録を行う。また、同時に条件オプションも必要であれば選択する（ステップＳ１００）。
【００２３】
そして、Ｗｅｂサーバ３０で登録内容された内容を確認して問題がなければデータベース４０に登録を行い、登録完了の通知を出品者端末１０に送信し（ステップＳ１１０）、オークションをスタートさせる（ステップＳ１２０）。
【００２４】
次に、入札者は、入札者端末２０からＷｅｂサーバ３０に接続して、出品物に対して入札を行う。例えば図７の入札画面例に従って、入札は、代金を受け取って出品物を引き取るか、あるいは代金を支払ったうえで出品物を取得するかを選択して入札する（ステップＳ１３０）。また、入札者は、出品者の住所別検索をすることができ、入札の際の判断材料に利用できる。
【００２５】
Ｗｅｂサーバ３０のオークション制御部３１では、以前に有効な入札があるかどうかをはじめにチェックして、図４に示すフローに従って判断を行う（ステップＳ１４０）。
【００２６】
以下、図４のフローチャートを参照して該判断を説明する。まず、有効な入札がない場合は、出品者による出品の際の出品条件で入札の受付を行う（ステップＳ１４１／ＹＥＳ、ステップＳ１４２）。また、以前に有効な入札があった場合で（ステップＳ１４１／ＮＯ）、その入札が引き取り入札のときは（ステップＳ１４３／引き取り）、入札金額が最安値となる新たな引き取り入札を受け付けるとともに、入札金額に関係なく新たな買い取り入札を受け付ける（ステップＳ１４４）。他方、以前の有効な入札が買い取り入札のときは（ステップＳ１４３／買い取り）、新たに引き取り入札を受け付けず、入札金額が最高値となる新たな買い取り入札のみを受け付ける（ステップＳ１４５）。なお、有効な入札とは、出品者が登録した出品条件に合致する入札である。
【００２７】
再び図３のフローに戻って説明すると、入札者が有効な入札をして問題なければ、買い取り入札において最高値を提示した最新買い取り入札者、あるいは引き取り入札において最安値を提示した最新引き取り入札者としてデータベース４０を更新して入札者端末２０に通知を送信する（ステップＳ１４０）。
【００２８】
オークションの終了条件（オークション期間、入札価格等）を満たすとオークションは終了する（ステップＳ１５０）。そして、オークションが終了すると有効な入札があったかを判定して有効な入札があれば取引成立となり（ステップＳ１６０／ＹＥＳ）、出品者端末１０及び入札者端末２０に対して取引成立の通知を送信する（ステップＳ１７０）。
【００２９】
一方、有効な入札がなかった場合は（ステップＳ１６０／ＮＯ）、出品者が出品登録の際に取引不成立のオプションとして自治体や廃品回収業者に廃品回収を依頼する選択を行っていなければ（ステップＳ１８０／ＮＯ）、取引不成立によるオークション終了の通知を出品者端末１０に対して送信する（ステップＳ１９０）。
【００３０】
逆に、取引不成立のオプションとして廃品回収依頼を選択していれば（ステップＳ１８０／ＹＥＳ）、回収手続きの自動処理を行うが、具体的には図５に示すフローに従って行う。以下、図５のフローチャートを参照して該自動処理を説明する。まず、データベース４０から出品者情報、出品物上方、自治体・廃品回収業者情報を取り出す（ステップＳ２０１）。そして、事業者選択制御部３２において、出品者住所が回収可能地域となっている自治体や廃品回収業者をリストアップする（ステップＳ２０２）。その後、出品者が出品時に指定した出品条件の中で最も安い価格で出品物品の引き取りを行う自治体・廃品回収業者を選択する（ステップＳ２０３）。
【００３１】
再び図３のフローに戻って説明すると、Ｗｅｂサーバ３０は、選択された自治体・廃品回収業者サーバ５０に対して出品者の名前、住所、電話番号、Ｅメールアドレス等の必要事項の登録処理を行う（ステップＳ２１０）。そして、正常に登録が完了すると、自治体・廃品回収業者サーバ５０は、その後の手続き、回収場所、回収日時等の情報を出品者端末１０に対して送信する（ステップ２２０）。
【００３２】
上述した実施形態によれば、物品のリサイクルが促進されるという効果を奏する。その理由は、買い取りオークションと引き取りオークションとが同時並行的に行われることから、一度オークションに出せば買値がつかなくても自治体や廃品回収業者に引き取ってもらうより安価に引き取ってもらえる可能性があるためである。
【００３３】
また、上述した実施形態によれば、オークションの利用者が増加する（オークション提供者のメリット）という効果を奏する。その理由は、上記効果で出品者が増加することに加えて、リサイクルを期待する入札者の増加も期待できるためである。
【００３４】
また、上述した実施形態によれば、取引不成立となった出品物品に対する廃品回収が促進されるという効果を奏する。その理由は、買い取りオークションが不調に終わり取引不成立になった際に、自動で最も引き取り価格の安い自治体や廃品回収業者を選択して廃品回収の手続きを行うためである。
【００３５】
また、上述した実施形態によれば、出品者のコスト節約につながるという効果を奏する。  その理由は、買い取りオークションと引き取りオークションとが同時並行的に行われ、一旦オークションに出品すればそこで買値がつかなくても通常の廃品処分よりも安価に引き取ってもらえる可能性があるためである。
【００３６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００３７】
すなわち、上記した実施形態のインターネットオークションシステムは、プログラムの命令によりコンピュータで実行される処理、手段、機能によって動作する。当該プログラムは、コンピュータの各構成要素に指令を送り、先に述べたような所定の処理や機能、例えば、オークション制御部３１により、有効な入札の有無や入札内容（引き取り、買い取り）から入札情報（入札種類、入札金額等）の入力受付を判断し、また、事業者選択制御部３２により、取引不成立の際に出品条件や廃品回収事業者の登録情報（対応可能地域、引き取り価格）に基づき廃棄品の回収先を自動的に選択し回収手続きの依頼を行う。このように、上記実施形態のインターネットオークションシステムにおける各処理や手段は、プログラムとコンピュータとが協働した具体的手段によって実現されるものである。
【００３８】
そして、上記実施形態の機能を実現するソフトウェアのプログラムコードを記録したコンピュータ読み取り可能な記録媒体、すなわち記憶メディアを介して、Ｗｅｂサーバのコンピュータ（ＣＰＵやＭＰＵ）が記憶メディアに格納されたプログラムコードを読み出し実行することによっても、本発明の目的は達成される。また、プログラムは、記録メディアを介さず、通信回線を通じて直接にコンピュータにロードし実行することもでき、これによっても同様に本発明の目的は達成される。
【００３９】
この場合、記憶メディアから読み出された又は通信回線を通じてロードし実行されたプログラムコード自体が前述の実施形態の機能を実現することになる。そして、そのプログラムコードを記憶した記憶メディアは本発明を構成する。
【００４０】
また、プログラムコードを供給するための記憶メディアとしては、例えば、フロッピー（登録商標）ディスク、ハードディスク、光ディスク、光磁気ディスク、ＣＤ−ＲＯＭ、ＣＤ−Ｒ、不揮発性のメモリカード、ＲＯＭ、磁気テープ等を用いることができる。
【図面の簡単な説明】
【００４１】
【図１】本発明の実施形態に係るインターネットオークションシステムの構成を示した図である。
【図２】本発明の実施形態におけるデータベースの登録情報の例を示した図である。
【図３】本発明の実施形態における各装置の動作の流れを示したフローチャートである。
【図４】本発明の実施形態におけるＷｅｂサーバ（オークション制御部）の動作の流れを示したフローチャートである。
【図５】本発明の実施形態におけるＷｅｂサーバ（事業者選択制御部）の動作の流れを示したフローチャートである。
【図６】本発明の実施形態における出品登録画面の例を示した図である。
【図７】本発明の実施形態における入札画面の例を示した図である。
【符号の説明】
【００４２】
１０    出品者端末
２０    入札者端末
３０    Ｗｅｂサーバ
３１    オークション制御部
３２    事業者選択制御部
４０    データベース
５０    自治体・廃品回収業者サーバ
１００    インターネット
【図１】
2008204246.tif 000003
【図２】
2008204246.tif 000004
【図３】
2008204246.tif 000005
【図４】
2008204246.tif 000006
【図５】
2008204246.tif 000007
【図６】
2008204246.tif 000008
【図７】
2008204246.tif 000009